(57)【要約】【課題】可動部材に配設された電気部品の配線に断線等を防止する。【解決手段】装置本体３１に枢支される回転軸８１に固定された第１の可動部材８０と、回転軸８１を中心として回転される第２の可動部材９０と、第１の可動部材８０または第２の可動部材９０に設けられた電気部品９４ａと、第２の可動部材９０に設けられて回転軸８１を囲繞する円筒状に形成され、該回転軸８１との間に電気部品９４ａに接続された配線ＨＡを挿通する配線用空間９８を画成する円筒状部９７と、円筒状部９７に形成された配線口９７ｃと、回転軸８１に回転可能に被着されて円筒状部９７の内側に位置し、該円筒状部９７の配線用空間９８を挿通した電気部品９４ａの配線ＨＡと回転軸８１との接触を防止する接触防止部材１０７とを備えた。【選択図】図８
2011104282.tif 000002
【特許請求の範囲】
【請求項１】
遊技球が流下可能な遊技領域が画成された遊技盤に、複数の可動部材を備えた可動演出装置が配設された遊技機であって、
前記可動演出装置は、
装置本体に枢支される回転軸に固定された第１の可動部材と、
前記回転軸を挿通する通孔が形成され、回転軸を中心として回転される第２の可動部材と、
前記第１の可動部材または第２の可動部材に設けられた電気部品と、
前記第２の可動部材に設けられて前記回転軸を囲繞する円筒状に形成され、該回転軸との間に前記電気部品に接続された配線を挿通する配線用空間を画成する円筒状部と、
前記円筒状部に形成された配線口と、
前記回転軸に回転可能に被着されて前記円筒状部の内側に位置し、該円筒状部の配線用空間を挿通した前記電気部品の配線と回転軸との接触を防止する接触防止部材とを備えた
ことを特徴とする遊技機。
【請求項２】
前記回転軸の突出端部に弾性的に当接する当接部が設けられた請求項１記載の遊技機。
【請求項３】
前記可動演出装置は、
前記第２の可動部材から離間する位置に設けられ、前記円筒状部が嵌挿される円形開口部が開設されたカバー部材と、
前記カバー部材の背面側に位置するよう前記回転軸に設けられて前記円筒状部の底面部に対向する規制板と、
前記円筒状部の底面部と規制板との間に位置するよう前記回転軸に設けられると共に該規制板よりも小径に形成され、第１の駆動手段に連繋接続されて該第１の駆動手段の駆動により前記第１の可動部材を回転させる歯車部と、
前記第２の可動部材に設けられて前記カバー部材との間に位置し、第２の駆動手段に連繋接続されて該第２の駆動手段の駆動により第２の可動部材を回転させる連繋部とを備え、
前記配線口は、前記円筒状部の外周面に、該円筒状部における前記カバー部材の円形開口部からの後方突出部に位置するよう形成されて前記配線用空間を円筒状部の側方に連通するよう構成された請求項１または２記載の遊技機。
【請求項４】
前記カバー部材には、前記配線口から導出された配線を保持する配線保持部が形成された凹状部が設けられて、
前記配線口は、前記第２の可動部材の回転範囲に亘って前記凹状部に開口するよう前記円筒状部の外周面に形成された請求項３記載の遊技機。
【請求項５】
前記規制板の外周縁部には、全周に亘って前記カバー部材から離間する方向に突出する位置検出片が形成されると共に、該位置検出片に切欠部が形成され、該切欠部を位置検出手段が検出することで前記第１の可動部材の基準位置を検出し得るよう構成される請求項３または４記載の遊技機。
【請求項６】
前記規制板の外周縁部に形成された前記位置検出片を囲繞する囲繞部が形成された第２のカバー部材を備える請求項３〜５の何れか一項に記載の遊技機。
【発明の詳細な説明】
【技術分野】
【０００１】
この発明は、演出用の可動部材を備えた遊技機に関するものである。
【背景技術】
【０００２】
代表的な遊技機であるパチンコ機においては、機内にセットされる遊技盤の盤面に形成した遊技領域の略中央位置に装飾部材が配設されて、該装飾部材に形成された開口部から液晶式やドラム式等の図柄表示装置を前側に臨ませ、この図柄表示装置で図柄組み合わせゲームやリーチ演出等の表示演出を行なうようになっている。このようなパチンコ機では、遊技盤(例えば、遊技盤に備えられた装飾部材)に演出用の複数の可動部材を有する可動演出装置を設け、図柄表示装置で行なわれる図柄組み合わせゲームに合わせて該可動部材を動作することで大当り予告やリーチ予告等の動的な動作演出を行ない、視覚的な演出効果を向上して遊技の興趣を高め得るようにしたものが提案されている(例えば、特許文献１参照)。
【先行技術文献】
【特許文献】
【０００３】
【特許文献１】特開２００９−６６３０８号公報
【発明の概要】
【発明が解決しようとする課題】
【０００４】
ところで、可動演出装置に可動部材を単体で設ける構成であれば、該可動部材に発光体を別途設けたとしても、配線の取り回しを格別複雑にすることなく、可動部材の動作による演出と、発光体の発光による演出とを実現できる。しかしながら、複数の可動部材を同軸上に回転可能に枢支する構成では、可動部材に発光体を別途設けると、該発光体に接続する配線を装置裏側に導出する必要がある。このような場合には、配線のねじれを極力抑制するために回転軸の近傍を配線が通され、配線が回転軸に摺接することになる。この場合には、可動部材の回転に伴って配線の擦り切れや断線等の不具合が発生する問題がある。
【０００５】
すなわち本発明は、従来の技術に係る遊技機に内在する前記課題に鑑み、これを好適に解決するべく提案されたものであって、同軸状に設けられた複数の可動部材に配設された電気部品の配線に断線等の不具合が発生するのを防止可能な可動演出装置を備えた遊技機を提供することを目的とする。
【課題を解決するための手段】
【０００６】
前記課題を克服し、所期の目的を達成するため、本願の請求項１に係る遊技機は、
遊技球が流下可能な遊技領域(20a)が画成された遊技盤(20)に、複数の可動部材を備えた可動演出装置(30)が配設された遊技機であって、
前記可動演出装置(30)は、
装置本体(31)に枢支される回転軸(81)に固定された第１の可動部材(80)と、
前記回転軸(81)を挿通する通孔(92a,93a)が形成され、回転軸(81)を中心として回転される第２の可動部材(90)と、
前記第１の可動部材(80)または第２の可動部材(90)に設けられた電気部品(94a)と、
前記第２の可動部材(90)に設けられて前記回転軸(81)を囲繞する円筒状に形成され、該回転軸(81)との間に前記電気部品(94a)に接続された配線(HA)を挿通する配線用空間(98)を画成する円筒状部(97)と、
前記円筒状部(97)に形成された配線口(97c)と、
前記回転軸(81)に回転可能に被着されて前記円筒状部(97)の内側に位置し、該円筒状部(97)の配線用空間(98)を挿通した前記電気部品(94a)の配線(HA)と回転軸(81)との接触を防止する接触防止部材(107)とを備えたことを要旨とする。
【０００７】
このように、配線が挿通される円筒状部の内部において、接触防止部材を回転軸に対して回転可能に被着するようにしたから、第１の可動部材の駆動に伴って回転軸が回転されたとしても配線が回転軸に接触することはなく、配線の擦り切れや断線を防止することができる。また、前記回転軸に対して前記接触防止部材は回転可能であるから、配線が接触防止部材に接触した状態で回転軸が回転したとしても、接触防止部材と配線との抵抗により接触防止部材が回転軸に伴って回転されることはなく、配線の擦り切れや断線を防止できる。
【０００８】
請求項２に係る発明は、前記回転軸(81)の突出端部に弾性的に当接する当接部(73a)が設けられたことを要旨とする。
【０００９】
このように、前記回転軸の突出端部に当接部が弾性的に当接することで、第１の可動部材や第２の可動部材の回転時における回転軸の振動が抑制され、配線に対する負荷をより一層軽減できる。
【００１０】
請求項３に係る発明は、前記可動演出装置(30)は、
前記第２の可動部材(90)から離間する位置に設けられ、前記円筒状部(97)が嵌挿される円形開口部(51a)が開設されたカバー部材(50)と、
前記カバー部材(50)の背面側に位置するよう前記回転軸(81)に設けられて前記円筒状部(97)の底面部(97b)に対向する規制板(84)と、
前記円筒状部(97)の底面部(97b)と規制板(84)との間に位置するよう前記回転軸(81)に設けられると共に該規制板(84)よりも小径に形成され、第１の駆動手段(41)に連繋接続されて該第１の駆動手段(41)の駆動により前記第１の可動部材(80)を回転させる歯車部(83)と、
前記第２の可動部材(90)に設けられて前記カバー部材(50)との間に位置し、第２の駆動手段(44)に連繋接続されて該第２の駆動手段(44)の駆動により第２の可動部材(90)を回転させる連繋部(99)とを備え、
前記配線口(97c)は、前記円筒状部(97)の外周面に、該円筒状部(97)における前記カバー部材(50)の円形開口部(51a)からの後方突出部に位置するよう形成されて前記配線用空間(98)を円筒状部(97)の側方に連通するよう構成されたことを要旨とする。
【００１１】
このように、可動部材に設けられた電気部品の配線を装置外部に導出する配線口を、円筒状部におけるカバー部材の開口部からの後方突出部に形成して、カバー部材の円形開口部に円筒状部を嵌挿した状態で配線口をカバー部材の背面側で開口させたことで、該円筒状部内の配線用空間を挿通した電気部品の配線を、配線口を介して円筒状部の径方向外方へ導出することができる。ここで、前記第１の可動部材の駆動機構である歯車部を、該歯車部よりも大径となる規制板で挟むようにしたことで、歯車部側に配線が撓んだとしても、該配線が歯車部に挟み込まれるのを効果的に防止できる。また、前記円筒状部をカバー部材の円形開口部に嵌挿して配線口をカバー部材の背面側で開口させたことで、該配線口から導出された配線の設置領域と、第２の可動部材を回転させる連繋部の設置領域とがカバー部材で区画され、該配線が連繋部に挟み込まれることはない。
【００１２】
請求項４に係る発明は、前記カバー部材(50)には、前記配線口(97c)から導出された配線(HA)を保持する配線保持部(57)が形成された凹状部(56)が設けられて、
前記配線口(97c)は、前記第２の可動部材(90)の回転範囲に亘って前記凹状部(56)に開口するよう前記円筒状部(97)の外周面に形成されたことを要旨とする。
【００１３】
このように、配線口から導出された配線を凹状部に保持するよう構成したことで、可動部材の回転時に配線が撓むのを抑制して所定位置を通すことができ、配線の挟み込みをより確実に防止できる。また、前記第２の可動部材の回転範囲に亘って前記配線口を凹状部に開口させたことで、第２の可動部材を回転させた際に、配線を凹状部の端縁部で挟み込むことはない。
【００１４】
請求項５に係る発明は、前記規制板(84)の外周縁部には、全周に亘って前記カバー部材(50)から離間する方向に突出する位置検出片(85)が形成されると共に、該位置検出片(85)に切欠部(85a)が形成され、該切欠部(85a)を位置検出手段(75)が検出することで前記第１の可動部材(80)の基準位置を検出し得るよう構成されることを要旨とする。
【００１５】
このように、規制板の外周縁部にカバー部材から離間する方向に突出するよう位置検出片を形成し、該位置検出片に第１の可動部材の基準位置として検出される切欠部を形成することで、切欠部への配線の引っ掛かりを防止できる。
【００１６】
請求項６に係る発明は、前記規制板(84)の外周縁部に形成された前記位置検出片(85)を囲繞する囲繞部(72)が形成された第２のカバー部材(65)を備えることを要旨とする。
【００１７】
このように、前記規制板の外周縁部に形成された前記位置検出片を囲繞する囲繞部を形成することで、切欠部への配線の引っ掛かりを防止できる。
【発明の効果】
【００１８】
本発明に係る遊技機によれば、同軸上に設けられた複数の可動部材に配設された電気部品の配線の挟み込みの擦り切れや断線を簡単に防止できる。
【図面の簡単な説明】
【００１９】
【図１】本発明の実施例に係るパチンコ機を示す正面図である。
【図２】実施例に係るパチンコ機の遊技盤を示す正面図である。
【図３】実施例に係る可動演出装置を示す正面図であって、第１および第２の可動部材が基準位置にある状態を示す。
【図４】実施例に係る可動演出装置の側面図であって、第１および第２の可動部材が基準位置にある状態を示す。
【図５】実施例に係る可動演出装置の背面図であって、第１および第２の可動部材が基準位置にある状態を示す。
【図６】実施例に係る可動演出装置を正面側から視た状態での分解斜視図である。
【図７】実施例に係る可動演出装置を背面側から視た状態での分解斜視図である。
【図８】図５におけるＡ−Ａ線断面図である。
【図９】図５におけるＡ−Ａ線で縦断した状態での分解図であって、第２駆動モータを省略してある。但し、第２の可動部材が回転位置にある状態で示した。
【図１０】図８において一点鎖線で囲んだＸ部分の拡大図である。
【図１１】実施例に係る装飾体部を示す縦断側面図である。
【図１２】実施例に係る前側カバー部材を示す斜視図であって、(a)は前側から視た状態を示し、(b)は後側から視た状態を示す。
【図１３】実施例に係る後側カバー部材を示す斜視図であって、(a)は前側から視た状態を示し、(b)は後側から視た状態を示す。
【図１４】実施例に係る第１連繋部材を示す斜視図であって、(a)は前側から視た状態を示し、(b)は後側から視た状態を示す。
【図１５】実施例に係る第２の可動部材を示す縦断側面図である。
【図１６】実施例に係る第２連繋部材を示す斜視図であって、(a)は前側から視た状態を示し、(b)は後側から視た状態を示す。
【図１７】実施例に係る第２連繋部材の縦断側面図である。
【図１８】実施例に係る第２の可動部材に接続された配線の状態を示す説明図であって、第２の可動部材が基準位置にある状態での配線状態を示す。なお、第２の可動部材から配線口に至るまでの配線部分を破線で示し、該配線口から導出された配線部分を実線で示している。
【図１９】実施例に係る第２の可動部材に接続された配線の状態を示す説明図であって、第２の可動部材が基準位置と回転位置の中間にある状態での配線状態を示す。なお、第２の可動部材から配線口に至るまでの配線部分を破線で示し、該配線口から導出された配線部分を実線で示している。
【図２０】実施例に係る第２の可動部材に接続された配線の状態を示す説明図であって、第２の可動部材が回転位置にある状態での配線状態を示す。なお、第２の可動部材から配線口に至るまでの配線部分を破線で示し、該配線口から導出された配線部分を実線で示している。
【図２１】実施例に係る第２の可動部材に接続された配線の状態を、図５のＢ−Ｂ線で可動演出装置を縦断して示す説明図であって、第２の可動部材が基準位置にある状態での配線状態を示す。
【図２２】実施例に係る第２の可動部材に接続された配線の状態を、図５のＢ−Ｂ線で可動演出装置を縦断して示す説明図であって、第２の可動部材が回転位置にある状態での配線状態を示す。
【発明を実施するための形態】
【００２０】
次に、本発明に係る遊技機につき、好適な実施例を挙げて、添付図面を参照しながら以下詳細に説明する。なお、実施例では、遊技球としてパチンコ球を用いて遊技を行なうパチンコ機１０を例に挙げて説明する。また、以下の説明において、「前」、「後」、「左」、「右」とは、特に断りのない限り、図１に示すようにパチンコ機１０を前側(遊技者側)から見た状態で指称する。
【実施例】
【００２１】
(パチンコ機について)
実施例に係るパチンコ機１０は、図１に示すように、矩形枠状に形成されて遊技店の図示しない設置枠台に前後に開口する縦置き姿勢で設置される外枠１１の開口前面側に、遊技盤２０を着脱可能に保持した中枠１２が開閉および着脱可能に組み付けられて、該遊技盤２０の裏側に、各種図柄を変動表示可能な図柄表示装置１７が着脱可能に配設されている。また、前記中枠１２の前面側には、前記遊技盤２０を透視保護するガラス板を備えた前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。また、前記中枠１２の右下方位置には、該中枠１２に配設された打球発射装置(図示せず)を作動する操作ハンドル１６が設けられており、該操作ハンドル１６の操作により打球発射装置が作動することで、前記上球受け皿１４に貯留されたパチンコ球が前記遊技盤２０に向けて発射されるようになっている。なお、実施例では、前記図柄表示装置１７としては、各種図柄を表示可能な液晶パネルを収容ケースに収容した液晶表示装置が採用されるが、これに限られるものではなく、ドラム式の図柄表示装置１７やドットマトリックス式の図柄表示装置１７等の各種図柄を停止および変動表示可能な従来公知の各種の図柄表示装置１７を採用し得る。また、前記上球受け皿１４は、前記前枠１３と別体に形成して中枠１２に対して開閉可能に組み付けるようにしてもよい。
【００２２】
(遊技盤について)
図２に示すように、前記遊技盤２０には、略円形状に湾曲形成したレール２１により囲まれた遊技領域２０ａ内に、前後に開口する枠状に形成された枠状装飾体２８が配設されており、遊技盤２０の裏側に配設された図柄表示装置１７が枠状装飾体２８の開口を介して前面に臨むよう構成されている。また、前記枠状装飾体２８の開口上部位置には、可動部材８０,９０を動作させて演出を行なう可動演出装置３０が設けられており、前記図柄表示装置１７での図柄変動演出に合わせて可動演出装置３０において可動部材８０,９０の動作演出を行ないうるよう構成されている。更に、前記遊技盤２０には、前記遊技領域２０ａにおける枠状装飾体２８の下方位置に、遊技領域２０ａを流下するパチンコ球が入賞可能な始動入賞装置２２および特別入賞装置２３が取り付けられている。そして、前記始動入賞装置２２の入賞口２５ａにパチンコ球が入賞することで、前記図柄表示装置１７で図柄を変動して図柄変動演出が展開され、該図柄変動演出の結果、図柄表示装置１７に所定の図柄組み合わせ(例えば同一図柄の３つ揃い等)で図柄が停止表示されると、前記特別入賞装置２３が開放して所謂大当りが発生し、多数の賞球を獲得し得る機会が与えられるようになっている。
【００２３】
(可動演出装置３０について)
前記可動演出装置３０は、図３〜図７に示すように、前記枠状装飾体２８に取付られる装置本体３１に対して、第１の可動部材８０および第２の可動部材９０が回転可能に支持されると共に、該第１および第２の可動部材８０,９０を駆動する第１駆動モータ(第１駆動手段)４１および第２駆動モータ(第２駆動手段)４４が夫々対応して配設されている。ここで、前記第１および第２駆動モータ４１,４４は、前記図柄表示装置１７を制御する制御手段(図示せず)に対して電気的に接続されており、該制御手段からの制御信号に基づいて第１および第２駆動モータ４１,４４を駆動することで、各駆動モータ４１,４４に対応する第１および第２の可動部材８０,９０が回転されるようになっている。なお、前記第１および第２駆動モータ４１,４４としては回転角度を制御可能なステッピングモータが採用されている。
【００２４】
(装置本体３１について)
前記装置本体３１は、図６または図７に示すように、前記枠状装飾体２８に形成された設置凹部２８ａに臨んで遊技盤２０の前面に露出する装飾体部３２と、該装飾体部３２の裏側に配設され、前記第２駆動モータ４４が取り付けられる前側カバー部材５０と、該前側カバー部材５０の裏側に配設され、前記第１駆動モータ４１が取り付けられる後側カバー部材６５とから構成されて、設置凹部２８ａに臨ませた装飾体部３２を枠状装飾体２８に対して裏側からネジ止めして固定するよう構成されている。ここで、実施例では、前記装飾体部３２の前側に前記第１の可動部材８０が配設され、該装飾体部３２の後側に前記第２の可動部材９０が配設されている。
【００２５】
前記装飾体部３２は、遊技盤２０の前面に露出すると共に、前後に開口する通孔３３ａが適宜に形成された第１の飾り部材３３と、該第１の飾り部材３３の後側に配設され、該装飾体部３２の背面をなす第１の背面板３４と、該第１の飾り部材３３および第１の背面板３４の間に配設されて第１の飾り部材３３の通孔３３ａを介して遊技盤２０の前面に露出する第１の光透過部材３５と、該第１の光透過部材３５および第１の背面板３４の間に配設されて表面に複数のＬＥＤ(発光体)３８ａが実装された第１のＬＥＤ基板３８(第１の発光体基板)とから構成されている。また、前記第１の飾り部材３３は、外周縁部から後方に突出する画壁部３３ｂが形成されて、後方に開口する枠状に構成され、該第１の飾り部材３３の内側に、第１の光透過部材３５、第１のＬＥＤ基板３８、前記第１の背面板３４が前側から順に重なるよう収容されている。そして、第１の飾り部材３３と第１の背面板３４とをネジ止めすることで、第１の光透過部材３５および第１のＬＥＤ基板３８を挟持するようになっている。
【００２６】
また、前記第１の光透過部材３５には、図８〜図１１に示すように、前方に開口する軸受け筒部３６が後方に突出するよう形成されており、該軸受け筒部３６の内底部に前後に開口する軸受け孔３６ａが開設されて、該軸受け孔３６ａに前記第１の可動部材８０の回転軸８１を軸受けする第１軸受け部材１０５が嵌合するよう構成されている。また、前記第１の光透過部材３５には、前記軸受け筒部３６の後端面に、後方に突出する軸支持部３７が形成されている。この軸支持部３７には、前記軸受け孔３６ａに連通する第１の軸挿通孔３７ａが前後に貫通するよう形成されており、前記第１軸受け部材１０５の通孔１０５ａに挿通されて軸受けされた回転軸８１が第１の軸挿通孔３７ａに挿通されるようになっている。
【００２７】
また、前記軸支持部３７の後端部には、図８または図１０に示すように、前記回転軸８１を軸受けする第２軸受け部材(接触防止部材)１０７が取り付けられている。前記第２軸受け部材１０７は、前記軸支持部３７を内挿可能な嵌合凹部１０８ａが後方に開口するよう形成された円筒状の嵌合部１０８と、該嵌合部１０８の後端面に連接し、嵌合部１０８より小径に形成された小径部１０８ｂとから構成されて、前記回転軸８１が挿通される通孔１０８ｃが嵌合部１０８および小径部１０８ｂに亘って前後に貫通するよう形成されている。すなわち、前記第２軸受け部材１０７の通孔１０８ｃに回転軸８１を挿通することで、該第２軸受け部材１０７が回転軸８１に対して相対的に回転可能に被着される。
【００２８】
また、前記第１のＬＥＤ基板３８には、後面側の左右上端部にコネクタ受け部３８ｂ,３８ｃが夫々設けられており、後面側の左上端部に位置する第１コネクタ受け部３８ｂに対して、前記第２の可動部材９０に設けられる第２のＬＥＤ基板９４(後述)からの配線ＨＡ(図１８〜図２２参照)が接続されると共に、後面側の右上端部に位置する第２コネクタ受け部３８ｃに、前記制御手段に対する配線(図示せず)が接続されるようになっている。なお、前記第１の背面板３４および第１のＬＥＤ基板３８には、前記軸支持部３７に対応する位置に前後に開口する通孔３４ａ,３８ｄが開設されており、前記装飾体部３２を組付けた際に、該第１の背面板３４および第１のＬＥＤ基板３８の通孔３４ａ,３８ｄを介して軸支持部３７が装飾体部３２の後方へ突出するよう構成されている。
【００２９】
(前側カバー部材５０について)
前記前側カバー部材５０は、図６、図７、図１２に示すように、前記装飾体部３２における第１の背面板３４に対向する平板状の前側設置板５１と、該前側設置板５１の外周縁部から前方に延出するよう形成され、該装飾体部３２に固定される前側外周壁部５２とから構成されて、装飾体部３２および前側設置板５１の間に、前記第２の可動部材９０を収容可能な第１の収容空間５３が画成されている。ここで、前記前側外周壁部５２は、前記前側設置板５１の左右側部から上部に亘って延在するよう設けられて、前記前側カバー部材５０が前方および下方に開口する箱状に形成されており、前記装飾体部３２に前側設置板５１を組付けた状態で、前記第１の収容空間５３が下方に開放するよう構成されているまた、前記前側設置板５１における左下端縁には、前方に突出する位置規制片５４が形成されており、前記第１の収容空間５３に収容された第２の可動部材９０を収容位置(図２、図３、図１８参照)および回転位置(図９、図２０参照)の夫々で位置規制するよう構成されている。
【００３０】
前記前側設置板５１には、前記装飾体部３２に形成された前記軸支持部３７と対応する位置に、後述する第２連繋部材９６が嵌挿される円形開口部５１ａが前後に貫通するよう開設されると共に、該円形開口部５１ａの縁部に沿って前側(装飾体部３２側)に延出する区画壁５１ｂが形成されている。また、前記前側設置板５１の背面側には、該前側設置板５１を背面側から視た状態で前記円形開口部５１ａの左上方位置に、前記第２駆動モータ４４用のモータ設置部５５が形成されると共に、前後に貫通する軸孔５５ａが形成されており、該モータ設置部５５に取り付けられた第２駆動モータ４４の駆動軸４１ａが軸孔５５ａを介して前記第１の収容空間５３内に挿通されて、該第１の収容空間５３内で駆動軸４１ａに対して駆動歯車４２が取り付けられている。
【００３１】
また、図５、図１８〜図２０に示すように、前記前側設置板５１の背面側には、前記円形開口部５１ａから前記装飾体部３２に設けた第１のＬＥＤ基板３８の第１コネクタ受け部３８ｂの設置方向に向けて配線挿通凹部５６が形成されている。すなわち、前記配線挿通凹部５６は、前側設置板５１を背面側から視た状態で、前記円形開口部５１ａから左上方に向けて延在するよう形成されている。また、前記円形開口部５１ａの縁部に沿って形成された前記区画壁５１ｂおよび前記前側外周壁部５２の夫々は、前記配線挿通凹部５６の形成位置で切り欠かれており、該配線挿通凹部５６が円形開口部５１ａに開口すると共に、前側カバー部材５０の外側方へ開口するよう構成されている。これにより、前記円形開口部５１ａに嵌挿された第２連繋部材９６の配線口９７ｃ(後述)から導出された配線ＨＡを、該配線挿通凹部５６に挿通して、前記第１コネクタ受け部３８ｂに接続し得るようになっている。
【００３２】
また、前記前側カバー部材５０の前側設置板５１には、前記配線挿通凹部５６の前側外周壁部５２の近傍に、弾性変形可能な配線係止部５７が形成されており、該配線挿通凹部５６に挿通された配線ＨＡを配線係止部５７に係止することで、配線挿通凹部５６内を挿通させ得るようになっている。更に、前記配線挿通凹部５６内には、前記配線係止部５７よりも円形開口部５１ａに近接する位置に、後方に突出する突起部５８が形成されている。前記突起部５８は、前記配線係止部５７の突出端部側に偏って位置しており、前記配線係止部５７に係止された配線ＨＡが突起部５８に接触することで配線係止部５７から脱落するのを防止している。
【００３３】
また、前記前側設置板５１の背面側には、前記配線挿通凹部５６の下方位置に、前記第２の可動部材９０の基準位置を検出する位置検出センサ(位置検出手段)６０を設置するセンサ設置部５９が設けられている(図５、図１２参照)。このセンサ設置部５９には、位置検出センサ６０の検出部６０ａを挿通するセンサ挿通孔５９ａが前後に開口するよう開設されており、該センサ挿通孔５９ａを介して該検出部６０ａが前記第１の収容空間５３に臨んで、第２の可動部材９０に形成された位置検出片９５を検出し得るよう構成される。なお、実施例では、前記位置検出センサ６０が第２の可動部材９０の位置検出片９５を検出する基準位置は、前述した第２の可動部材９０が第１の収容空間５３に収容された収容位置とされている。
【００３４】
(後側カバー部材６５について)
前記後側カバー部材６５は、図６、図７、図１３に示すように、前記前側カバー部材５０における前側設置板５１に対向する平板状の後側設置板６６と、該後側設置板６６の外周縁部から前方に延出するよう形成された後側外周壁部６７とから構成されて、前側設置板５１および後側設置板６６の間に第２の収容空間６８が画成されている。ここで、前記後側設置板６６は、前記前側設置板５１と略同一形状に形成されており、前記前側カバー部材５０の背面側の略全面が後側カバー部材６５で覆われている。
【００３５】
また、前記後側設置板６６には、前記前側カバー部材５０の配線挿通凹部５６と対応する位置に、該前側カバー部材５０の前側外周壁部５２よりも外方に延出する延出板６９が形成されると共に、該延出板６９の縁部から案内壁部６９ａが前側(装飾体部３２側)に延出するよう形成されている。そして、前記案内壁部６９ａの前方開口に、前記装飾体部３２に設けた前記第１コネクタ受け部３８ｂが臨むよう構成されており、該案内壁部６９ａが前記配線挿通凹部５６に挿通された配線ＨＡを第１コネクタ受け部３８ｂに向けて誘導する誘導部として機能すると共に、該配線ＨＡが装置外部に露出するのを防止する保護壁として機能している(図４、図２１、図２２参照)。また、前記後側設置板６６には、前記前側カバー部材５０の配線挿通凹部５６に形成された前記配線係止部５７と対応する位置に、前後に開口する調節孔６６ａが形成されており、該調節孔６６ａに挿通した器具(図示せず)により配線挿通凹部５６に挿通された配線ＨＡが前記配線係止部５７に係止される位置に位置調節し得るようになっている。
【００３６】
図１３(b)に示すように、前記後側設置板６６の背面側には、該後側設置板６６を背面側から視た状態で右上方位置に、前記第１駆動モータ４１用のモータ設置部７０が形成されると共に、前後に貫通する軸孔７０ａが形成されており、該モータ設置部７０に取り付けられた第１駆動モータ４１の駆動軸４１ａが軸孔７０ａを介して前記第２の収容空間６８内に挿通されて、該第２の収容空間６８内で駆動軸４１ａに駆動歯車４５が取り付けられている。また、前記第２の収容空間６８には、前記第１駆動モータ４１に接続された前記駆動歯車４５に噛合する従動歯車４３が支軸４３ａを介して前後のカバー部材５０,６５に支持されて、該従動歯車４３が前記第１の可動部材８０に接続された第１連繋部材８２(後述)に対して噛合するよう構成されている。すなわち、前記第２の収容空間６８は、前記第１の可動部材８０に対する駆動伝達手段(駆動歯車４５、従動歯車４３、第１歯車部８３)を収容する空間とされている。なお、図１３における符号７１は、前記前側カバー部材５０に取り付けられた第２駆動モータ４４の後部を挿通するモータ挿通孔７１であって、該モータ挿通孔７１を介して第２駆動モータ４４が後側カバー部材６５の後方に突出するようになっている。
【００３７】
また、前記後側カバー部材６５における前記後側設置板６６には、図５、図８、図９、図１０に示すように、前記装飾体部３２に設けた軸支持部３７(前側カバー部材５０の円形開口部５１ａ)と前後に整列する位置に、前方に開口する収容凹部７２が形成されている。そして、前記第１の可動部材８０に接続された前記第１連繋部材８２に形成される第１位置検出片８５(後述)を前記収容凹部７２に収容するようになっている。
【００３８】
また、前記収容凹部７２の背面を画成する背面部７２ａには、該背面部７２ａの中心(回転軸８１と前後に整列する位置)から径方向外方に延在するスリット７２ｂが形成されている。そして、前記スリット７２ｂの外側端部で背面部７２ａに連接された弾性変形可能な押圧片７３がスリット７２ｂの形成位置に対応して形成されると共に、該押圧片７３の突出端部(回転軸８１と前後に整列する位置)に、前方に突出する当接部７３ａが形成されており、前記軸支持部３７の第１の軸挿通孔３７ａに挿通された回転軸８１の後端部に当接部７３ａが当接するようになっている。すなわち、前記回転軸８１の後端部に押圧片７３の当接部７３ａが当接することで、第１の可動部材８０の回転時における回転軸８１の前後方向のブレを抑制している。
【００３９】
また、前記後側設置板６６の背面側には、前記収容凹部７２の上方位置に、前記第１の可動部材８０の基準位置を検出する位置検出センサ(位置検出手段)７５を設置するセンサ設置部７４が設けられている。そして、前記収容凹部７２に前後に開口するよう形成されたセンサ挿通孔７４ａを介して、前記位置検出センサ７５の検出部７５ａが収容凹部７２の内側に臨んで、前記第１歯車部８３に形成された第１位置検出片８５を検出し得るよう構成される。なお、以下の説明では、前記第１の可動部材８０の基準位置を検出する位置検出センサを第１位置検出センサ７５と指称し、前記第２の可動部材９０の基準位置を検出する位置検出センサを第２位置検出センサ６０と指称するものとする。また、実施例に係る第１および第２位置検出センサ７５,６０は、受光部と発光部とを備えた光学式の検出センサであるが、対応する第１および第２の可動部材８０,９０の基準位置を検出可能なセンサであれば、磁気センサやマイクロスイッチ等を採用することもできる。
【００４０】
(第１の可動部材８０について)
図９に示すように、前記第１の可動部材８０は、前後方向に延在する前記回転軸８１の前端部に固定されて、該回転軸８１の回転と一体的に第１の可動部材８０が回転するよう構成されている。なお、実施例に係る第１の可動部材８０は、前記回転軸８１の径方向に延在した装飾体であって、時計の指針のように回転軸８１の回転に伴って第１の可動部材８０の指示方向が回転変位する。また、前記第１の可動部材８０に固定された前記回転軸８１は、前記装置本体３１の前後方向の略全長に亘って延在する長さに形成されて、前記装飾体部３２の軸支持部３７(第１の軸挿通孔３７ａ)、前側カバー部材５０の円形開口部５１ａを介して前側カバー部材５０の後方(第２の収容空間６８)まで回転軸８１が延出して、前記後側カバー部材６５に形成された押圧片７３の当接部７３ａに当接するよう構成されている。
【００４１】
(第１連繋部材８２について)   
また、前記回転軸８１の後端部には、図６〜図１０、図１４に示すように、前記第１駆動モータ４１に対して連繋接続される第１連繋部材８２が固定されて、該第１連繋部材８２の一部が前記後側設置板６６に形成された前記収容凹部７２内に収容されるようになっている。前記第１連繋部材８２は、前記従動歯車４３に噛合する第１歯車部(歯車部)８３と、該第１歯車部８３の後端部に設けられた円板状の規制板８４と、該規制板８４の外周縁部から後方に突出する第１位置検出片(位置検出片)８５とを備えている。すなわち、前記第１駆動モータ４１の駆動により従動歯車４３を介して第１連繋部材８２が回転されることで、前記第１の可動部材８０が回転軸８１を中心として回転されるようになっている。ここで、前記規制板８４の直径は、前記第１歯車部８３の直径よりも大きく設定されて、該第１歯車部８３よりも規制板８４が径方向外方に突出して、該規制板８４が、後述する第２連繋部材９６における円筒状部９７の後面部９７ｂに対向するよう構成される。
【００４２】
そして、図１０に示すように、前記第１連繋部材８２に形成された前記第１位置検出片８５が、前記後側設置板６６の前記収容凹部７２内に臨むよう構成されている。前記第１位置検出片８５の後端部には、前記第１位置検出センサ７５により検出される被検出部８５ａが径方向に開口するよう切欠形成されている。すなわち、前記第１駆動モータ４１の駆動により前記収容凹部７２内で回転される第１連繋部材８２(第１位置検出片８５)の被検出部８５ａを、該収容凹部７２内で第１位置検出センサ７５が検出することで、第１の可動部材８０の基準位置が検出される。このように、被検出部８５ａが切欠形成された第１連繋部材８２の第１位置検出片８５を収容凹部７２に収容することで、該切欠状の被検出部８５ａに対する配線ＨＡの引っ掛かりを防止している。なお、実施例に係る第１の可動部材８０は、基準位置にある状態において、図８に示すように回転軸８１から上方に延出する姿勢となるよう構成されている。
【００４３】
(第２の可動部材９０について)
図６〜図９、図１５に示すように、前記第２の可動部材９０は、該第２の可動部材９０の回転に伴って遊技盤２０の前面に露出すると共に、前後に開口する通孔９１ａが適宜に形成された第２の飾り部材９１と、該第２の飾り部材９１の後側に配設され、該第２の可動部材９０の背面をなす第２の背面板９２と、該第２の飾り部材９１および第２の背面板９２の間に配設されて第２の飾り部材９１の通孔９１ａを介して遊技盤２０の前面に露出する第２の光透過部材９３と、該第２の光透過部材９３および第２の背面板９２の間に配設されて表面に複数のＬＥＤ(発光体)９４ａが実装された電気部品としての第２のＬＥＤ基板(第２の発光体基板)９４とから構成されている。そして、第２の飾り部材９１と第２の背面板９２とをネジ止めすることで、第２の光透過部材９３および第２のＬＥＤ基板９４が挟持固定されるようになっている。なお、前記第２の背面板９２は、前記第２の飾り部材９１の外周壁９１ｂの内部輪郭形状に略整合する板状に形成されている。
【００４４】
また、図１５に示すように、前記第２の光透過部材９３には、その中心点位置に前後に貫通する第２の軸挿通孔９３ａが形成されている。前記第２の軸挿通孔９３ａには第３軸受け部材１１１が嵌挿されており、該第３軸受け部材１１１の通孔１１１ａに、前記装置本体３１(装飾体部３２)に形成された前記軸支持部３７が挿通される。すなわち、前記第２の可動部材９０は、前記軸支持部３７を中心として回転可能に支持されて、前記第１の可動部材８０および第２の可動部材９０の夫々の回転中心が一致するよう構成されている。ここで、実施例の第２の可動部材９０は、第２の可動部材９０の略全体が前記装置本体３１に画成された前記第１の収容空間５３に収容される収容位置(基準位置)と、前記軸支持部３７(回転軸８１)を中心として回転されて該第２の可動部材９０の略全体が露出する回転位置との間で回動するよう構成されている。また、前記第２の可動部材９０には、前記収容位置において前記装置本体３１(前側カバー部材５０)に配設された前記第２位置検出センサ６０と対応する位置に、第２位置検出片９５が後方に突出するよう形成されている。すなわち、前記第２の可動部材９０に形成した第２位置検出片９５を第２位置検出センサ６０が検出することで、第２の可動部材９０の収容位置が検出されるようになっている。
【００４５】
また、図８、図１０に示すように、前記第２の背面板９２には、前記第２の軸挿通孔９３ａと前後に整列する位置に、前後に貫通する配線挿通孔９２ａが形成されて、該第２の軸挿通孔９３ａに挿通された前記軸支持部３７が配線挿通孔９２ａを介して第２の背面板９２の後方へ延出するよう構成される。ここで前記配線挿通孔９２ａの開口寸法は、前記軸支持部３７の直径よりも大きく設定されて、該配線挿通孔９２ａの開口縁部と軸支持部３７との間に間隙が介在するよう構成されている。そして、前記第２のＬＥＤ基板９４に接続された配線ＨＡが、前記配線挿通孔９２ａの開口縁部と軸支持部３７との間に介在する間隙を介して第２の背面板９２の後方へ導出されている。なお、前記配線挿通孔９２ａの開口前縁部は、前記第２の光透過部材９３から離間位置し、前記第２のＬＥＤ基板９４に接続された配線ＨＡを、該第２のＬＥＤ基板９４と第２の背面板９２との間を挿通し得るようになっている。
【００４６】
(第２連繋部材９６について)
図６〜図１０、図１６、図１７に示すように、前記第２の可動部材９０(第２の背面板９２)の後面側には、前記配線挿通孔９２ａの形成位置に、前記第２駆動モータ４４に対して連繋接続される第２連繋部材９６が取付けられている。前記第２連繋部材９６は、前方(第２の背面板９２側)に開口する円筒状部９７と、該円筒状部９７における外周面部９７ａの前端部に形成され、前記第２駆動モータ４４に接続した前記駆動歯車４５に噛合する第２歯車部(連繋部)９９とから構成されている。すなわち、前記第２駆動モータ４４の駆動により前記第２連繋部材９６の第２歯車部９９が回転されることで、前記第２連繋部材９６が前記軸支持部３７を中心として回転されるようになっている。なお、前記第２歯車部９９の前端部には、前記第２の背面板９２にネジ止めされる固定部１００が形成されている(図１７参照)。
【００４７】
また、前記円筒状部９７には、該円筒状部９７の後面を画成する後面部９７ｂの中心位置に、前後に貫通する通孔９７ｄが形成されている。この後面部９７ｂの通孔９７ｄには、前記第２軸受け部材１０７の小径部１０８ｂが挿通されるよう構成されており、前記円筒状部９７(第２の可動部材９０)の後部側が第２軸受け部材１０７に回転可能に支持される。すなわち、前記第２の可動部材９０は、前部側が前記第３軸受け部材１１１を介して軸支持部３７に支持され、後部側が第２軸受け部材１０７の小径部１０８ｂを介して回転軸８１(軸支持部３７)に支持されることで、当該軸支持部３７(回転軸８１)を中心に安定して回転し得るようになっている。
【００４８】
前記第２連繋部材９６の円筒状部９７は、図１０に示すように、前方開口の輪郭形状が前記配線挿通孔９２ａの開口形状に略整合するよう形成されて、該円筒状部９７内に配線挿通孔９２ａが連通するよう構成されている。すなわち、前記円筒状部９７は、前記軸支持部３７よりも大径に形成されて、該軸支持部３７と、円筒状部９７の外周面部９７ａとの間に、前記配線挿通孔９２ａから導出された前記第２のＬＥＤ基板９４に接続する配線ＨＡを挿通する配線用空間９８が画成されるようになっている。
【００４９】
また、図１０、図１７に示すように、前記円筒状部９７の後端部には、該円筒状部９７の後面を画成する後面部９７ｂから、当該円筒状部９７の外周面部９７ａに亘って開口する配線口９７ｃが開設されて、前記配線用空間９８を円筒状部９７の径方向外方に開口するよう構成されている。これにより、前記配線用空間９８を挿通された配線ＨＡを、配線口９７ｃを介して円筒状部９７の径方向外方に導出し得るようになっている。
【００５０】
更に、図１０、図２１、図２２に示すように、前記第２の可動部材９０を装置本体３１に組み付けた状態では、前記前側カバー部材５０の円形開口部５１ａに、前記第２連繋部材９６における円筒状部９７の後端部が嵌挿されるようになっている。ここで、前記円形開口部５１ａの開口形状と、前記円筒状部９７における外周面部９７ａの形状は、略一致するよう構成されて、円筒状部９７を嵌挿した際に、円形開口部５１ａと円筒状部９７との間に、第２の可動部材９０(第２連繋部材９６)の回転を許容する程度の隙間のみが介在するよう構成されている。すなわち、前記円形開口部５１ａと円筒状部９７との間を配線ＨＡが挿通不能に構成される。
【００５１】
また、前記円形開口部５１ａに円筒状部９７を嵌挿した状態では、図１０、図２１、図２２に示すように、該円筒状部９７の後面部９７ｂと、前記前側カバー部材５０の前側設置板５１とが略同一面に位置するよう構成されている。そして、前記前側カバー部材５０の背面側において、前記第２連繋部材９６(円筒状部９７)に形成された前記配線口９７ｃが前記配線挿通凹部５６に連通するようになっている。このとき、前記配線挿通口の前端縁は、前記前側カバー部材５０に形成された配線挿通凹部５６と略同一面に位置するよう構成されており、該配線口９７ｃの略全体が配線挿通凹部５６内に開口して、配線口９７ｃが第１の収容空間５３内に開口しないよう構成される。また、前記配線口９７ｃは、前記第２の可動部材９０が前記収容位置から回転位置に回転する過程において、前記配線挿通凹部５６に常に連通するよう形成されて、該第２の可動部材９０の回転位置に関係なく該配線口９７ｃから導出された配線を配線挿通凹部５６に誘導し得るようになっている(図１８〜図２０)。ここで、図１８〜図２０では、第２の可動部材９０から配線口９７ｃに至るまでの配線部分を破線で示し、該配線口９７ｃから導出されて配線挿通凹部５６を挿通される配線部分を実線で表示してある。
【００５２】
また、前記第２連繋部材９６の後面部９７ｂは、前記第１連繋部材８２に設けられた前記第１歯車部８３の直径よりも大きく形成されている。すなわち、前記第１歯車部８３は、前記第１連繋部材８２の規制板８４および第２連繋部材９６の後面部により挟まれるように位置して、第１の可動部材８０(第１歯車部８３)の回転時に、前記配線口９７ｃから導出された配線ＨＡが第１歯車部８３に噛み込まれるのを防止するようになっている。なお、前記第１の可動部材８０の回転軸８１に取付けられた前記第１連繋部材８２の第１歯車部８３と、前記第２の可動部材９０に取付けられた前記第２連繋部材９６の後面部９７ｂとの間には、スペーサ１１３が介挿されており(図１０参照)、該第１歯車部８３および第２連繋部材９６の後面部９７ｂが直接接触するのを防止して、第１の可動部材８０および第２の可動部材９０の一方を回転させた際に、他方の可動部材８０,９０の位置ズレを防止するようになっている。
【００５３】
〔実施例の作用〕
次に、前述のように構成された実施例に係るパチンコ機１０の作用につき説明する。
【００５４】
前記遊技盤２０に設けたレール２１に沿って遊技領域２０ａに打ち出されたパチンコ球は、遊技盤２０上に設けた遊技釘等に接触して流下方向を変更しながら流下する。そして、前記遊技領域２０ａを流下するパチンコ球が前記始動入賞装置２２に入賞すると、前記制御手段の制御に基づいて前記図柄表示装置１７での図柄変動演出が開始され、図柄変動演出の結果、図柄表示装置１７に所定の図柄組み合わせが表示されると大当りが発生する。大当りが発生すると、図柄表示装置１７に表示された図柄組み合わせに応じて、前記遊技盤２０の下方に設けられた特別入賞装置２３が開放されると共に、前記制御手段の制御に基づいて図柄表示装置１７において大当り演出が行なわれる。そして、前記図柄表示装置１７で展開される図柄変動演出や大当り演出等に合わせて、前記可動演出装置３０の第１駆動モータ４１および第２駆動モータ４４が前記制御手段からの制御信号に基づいて作動されて、前記第１の可動部材８０および第２の可動部材９０の回転による演出が行なわれる。
【００５５】
すなわち、前記第１駆動モータ４１の駆動時には、該第１駆動モータ４１の駆動歯車４２に従動歯車４３を介して連繋された第１連繋部材８２(第１歯車部８３)が回転され、これにより前記第１の可動部材８０が回転軸８１を中心に回転される。一方、前記第２駆動モータ４４の駆動時には、該第２駆動モータ４４の駆動歯車４５に連繋された前記第２連繋部材９６(第２歯車部９９)が回転され、これにより前記第１の可動部材８０の回転軸８１が挿通された軸支持部３７を中心に、前記第２の可動部材９０が収容位置と回転位置との間で回動される。すなわち、前記第１駆動モータ４１および第２駆動モータ４４の駆動に応じて、対応する第１の可動部材８０および第２の可動部材９０が回転されて、該第１および第２の可動部材８０,９０による演出が行なわれる。
【００５６】
ここで、前記第２の可動部材９０に設けられた第２のＬＥＤ基板９４に接続した配線ＨＡは、該第２のＬＥＤ基板９４と第２の背面板９２との間を、該第２の可動部材９０における前記軸支持部３７が挿通される配線挿通孔９２ａに導かれて、該配線挿通孔９２ａを介して前記第２連繋部材９６の配線用空間９８に挿通され、該第２連繋部材９６の円筒状部９７に形成された配線口９７ｃから前側カバー部材５０の背面側に導出される。すなわち、前記配線ＨＡは、第２の可動部材９０の回転中心となる軸支持部３７に沿って延在している。ここで、前記第２連繋部材９６を前記前側カバー部材５０の円形開口部５１ａに嵌挿して、前記円筒状部９７に形成される配線口９７ｃを装置本体３１(前側カバー部材５０)の配線挿通凹部５６に連通するよう構成してあるから、配線口９７ｃを介して円筒状部９７の径方向外方へ導出された配線ＨＡが配線挿通凹部５６内に挿通され、当該配線挿通凹部５６を介して前側カバー部材５０の外側方に導出されて、前記装置本体３１(装飾体部３２)の第１のＬＥＤ基板３８の第１コネクタ受け部３８ｂに接続される。
【００５７】
このように、前記第２連繋部材９６の円筒状部９７を前記前側カバー部材５０の円形開口部５１ａに嵌挿した状態で、該円筒状部９７に形成された配線口９７ｃを、該前側カバー部材５０の背面側で開口するよう構成したことで、該配線口９７ｃから導出された配線ＨＡの挿通領域(すなわち配線挿通凹部５６)と、第２の可動部材９０を回転させる連繋部(第２駆動モータ４４の駆動歯車４５および第２歯車部９９)の設置領域(すなわち第１の収容空間５３)とが前側カバー部材５０で区画され、該円筒状部９７内の配線用空間９８を挿通された配線ＨＡが第１の収容空間５３内に侵入することはない。従って、前記配線ＨＡが第２の可動部材９０を回転させる連繋部(第２駆動モータ４４の駆動歯車４５および第２歯車部９９)に噛み込まれるのを確実に防止し得る。
【００５８】
また、前記第１の可動部材８０を回転させる前記第１連繋部材８２の第１歯車部８３を、該第１歯車部８３より大径となる第１連繋部材８２の規制板８４および第２連繋部材９６の後面部９７ｂとの間に挟まれるよう設けてあるから、前記配線口９７ｃから導出された配線ＨＡが第１歯車部８３側に撓んだとしても、該配線ＨＡが第１歯車部８３に噛み込まれるのを効果的に防止できる。しかも、前記配線口９７ｃから導出された配線ＨＡは、前記前側カバー部材５０に凹設された前記配線挿通凹部５６に挿通されており、前記第１歯車部８３よりも前側に位置させて配線ＨＡと第１歯車部８３とが離間するよう構成したから、第１歯車部８３での配線ＨＡの挟み込みをより確実に防止し得る。
【００５９】
前記第２のＬＥＤ基板９４に接続した配線ＨＡは、前記第２の可動部材９０の回転中心となる軸支持部３７が挿通される配線挿通孔９２ａや配線用空間９８を介して配線挿通凹部５６へ導出される。すなわち、第２の可動部材９０の回転中心となる軸支持部３７に沿って配線ＨＡを引き回したことで、第２の可動部材９０を回転させた際に、前記第１コネクタ受け部３８ｂから配線口９７ｃに至る配線ＨＡの長さの変動が抑制され、配線ＨＡの撓みによる挟み込みを効果的に抑制し得る。
【００６０】
また、前記配線挿通凹部５６に配線係止部５７を形成して、前記配線口９７ｃから導出された配線ＨＡを配線係止部５７に係止するよう構成されているから、第２の可動部材９０の回転時に配線ＨＡの撓みが抑制され、配線ＨＡを配線挿通凹部５６内の所定位置を通すことができ、配線ＨＡの挟み込みをより確実に防止できる。そして、図１８〜図２０に示すように、前記第２の可動部材９０を収容位置から回転位置に回動する際に、前記配線口９７ｃが配線挿通凹部５６内に常に開口するから、配線ＨＡが配線挿通凹部５６の端縁部で挟み込まれることはない。
【００６１】
また、前記第１位置規制片５４は、前記第１連繋部材８２における前記規制板８４の外周縁部から後方に突出するよう形成して、前記前側カバー部材５０および第１歯車部８３から離間させたことで、該第１位置規制片５４に形成された被検出部５４ａへの配線ＨＡの引っ掛かりを効果的に防止できる。しかも、前記第１位置規制片５４は、前記後側カバー部材６５に形成された収容凹部７２に収容されて、該第１位置規制片５４の外周を収容凹部７２の壁部で囲繞するよう構成してあるから、被検出部５４ａが前記第２の収容空間６８内に露出せず、該被検出部５４ａへの配線ＨＡの引っ掛かりをより確実に防止できる。
【００６２】
また、前記軸支持部３７の後端部には第２軸受け部材１０７が被着されて、前記第２連繋部材９６内の配線用空間９８に挿通された配線ＨＡが第１の可動部材８０の回転軸８１に接触しないよう構成されている。このため、第１の可動部材８０の回転に伴って回転軸８１が回転されたとしても、配線用空間９８内で回転軸８１との接触に起因して配線ＨＡの擦り切れや断線が生ずることはない(図２１、図２２参照)。また、前記回転軸８１に対して前記第２軸受け部材１０７を回転可能に構成することで、配線ＨＡが第２軸受け部材１０７に接触した状態で回転軸８１が回転したとしても、第２軸受け部材１０７と配線ＨＡとの抵抗により第２軸受け部材１０７が回転軸８１に伴って回転されることはなく、配線ＨＡの擦り切れや断線を防止できる。しかも、前記回転軸８１の突出端部に後側カバー部材６５に形成された押圧片７３の当接部７３ａが弾性的に当接することで、第１の可動部材８０や第２の可動部材９０の回転時における回転軸８１の振動を抑制して安定して回転させることができる。そして、第１および第２の可動部材８０,９０が安定して回転することで、配線ＨＡに対する負荷が軽減され、配線ＨＡの擦り切れや断線といった不具合をより確実に防止できる。
【００６３】
(変更例)
なお、遊技機の構成としては、実施例のものに限らず、種々の変更が可能である。
(１)  実施例では、装置本体における装飾体部の前側に第１の可動部材を配設すると共に、該装飾体部の後側に第２の可動部材を配設するよう構成したが、該第１および第２の可動部材の夫々を装飾体部の前側または後側に配設するようにしてもよい。
(２)  実施例では、第２の可動部材に電気部品としてＬＥＤ基板を設けるようにしたが、これに限らず、第２の可動部材に対して駆動手段を設置するようにしてもよい。
(３)  実施例では、第２の可動部材のみに電気部品を設けるようにしたが、第１の可動部材に対して電気部品を設けるようにしてもよい。この場合には、第１の可動部材の電気部品の配線を配線用空間に挿通するための挿通口が第２の可動部材に形成される。
(４)  実施例では、２つのカバー部材を設けて各可動部材の駆動手段を設置するよう構成したが、１つのカバー部材を備えるよう構成してもよい。すなわち、実施例における円筒状部が嵌挿される円形開口部が開設されたカバー部材を備えるようにしても、実施例と同様に、配線をカバー部材の裏側まで誘導して配線の噛み込みを防止できる。
(５)  実施例では、カバー部材に配線挿通凹部を形成するようにしたが、該配線挿通凹部を省略して、配線口から導出した配線をカバー部材における設置板の裏側に沿って誘導してもよい。
(６)  第１および第２の可動部材に対する駆動手段としては、モータに限られるものではなく、従来公知の各種駆動手段を採用可能である。
(７)  第２の駆動手段と第２の可動部材とを連繋する連繋部としては、実施例に示した歯車を利用した機構に限らず、リンク機構やベルト・プーリ機構、その他の公知の機構を採用することができる。
(８)  また、遊技盤としては、実施例のような合板製のものに限らず、アクリル樹脂等により形成された透明板により構成されるものであってもよい。
(９)  各実施例では、遊技盤に設けた枠状装飾体に可動演出装置を設けるようにしたが、これに限らず、遊技盤の裏側に取付けられる設置部材に可動演出装置を配設して枠状装飾体の開口から前面に臨ませるよう構成することもできる。また、遊技盤として透明板を採用した場合には、透明板の裏側に可動演出装置を配設することもできる。
(１０)  各実施例では、遊技機としてパチンコ機を例示して説明したが、これに限られるものではなく、アレンジボール機やピンボール機、スロットマシン機等の各種遊技機を採用し得る。
【符号の説明】
【００６４】
２０  遊技盤
２０ａ  遊技領域
３０  可動演出装置
３１  装置本体
４１  第１駆動モータ(第１の駆動手段)
４４  第２駆動モータ(第２の駆動手段)
５０  前側カバー部材
５１ａ  円形開口部
５６  配線挿通凹部(凹状部)
５７  配線係止部(配線保持部)
６５  後側カバ部材(第２のカバー部材)
７２  収容凹部(囲繞部)
８０  第１の可動部材
８１  回転軸
８３  第１歯車部(歯車部)
８４  規制板
８５  第１位置検出片(位置検出片)
８５ａ  被検出部(切欠部)
９０  第２の可動部材
９２ａ  配線挿通孔(通孔)
９３ａ  第２の軸挿通孔(通孔)
９４  第２のＬＥＤ基板(電気部品)
９７  円筒状部
９７ｂ  後面部(底面部)
９７ｃ  配線口
９８  配線用空間
９９  第２歯車部(連繋部)
１０７  第２軸受け部材(接触防止部材)
ＨＡ  配線
【図１】
2011104282.tif 000003
【図２】
2011104282.tif 000004
【図３】
2011104282.tif 000005
【図４】
2011104282.tif 000006
【図５】
2011104282.tif 000007
【図６】
2011104282.tif 000008
【図７】
2011104282.tif 000009
【図８】
2011104282.tif 000010
【図９】
2011104282.tif 000011
【図１０】
2011104282.tif 000012
【図１１】
2011104282.tif 000013
【図１２】
2011104282.tif 000014
【図１３】
2011104282.tif 000015
【図１４】
2011104282.tif 000016
【図１５】
2011104282.tif 000017
【図１６】
2011104282.tif 000018
【図１７】
2011104282.tif 000019
【図１８】
2011104282.tif 000020
【図１９】
2011104282.tif 000021
【図２０】
2011104282.tif 000022
【図２１】
2011104282.tif 000023
【図２２】
2011104282.tif 000024